(57)【要約】      （修正有）【課題】超低速回転方式により機器の大きさや騒音を大幅に削減した搾汁ジューサーを提供する。【解決手段】上部に投入口が、内部中央に回転軸孔が形成される蓋と、蓋の下部に設けられ、底部には案内段が、外部下端部には滓排出口と汁排出口とが、中央下端部に貫通孔のある防水円筒が形成されるハウジングと、外面にはスクリュー螺旋が複数備えられ、下端には複数のスクリューギヤが形成された内部リングが下方に突き出されて形成され、内部リング内側に防水円筒が挿入されるための下部空間が備えられたスクリューと、汁を排出させるべく網構造からなる外壁を備え、スクリューを低速に回転させる駆動部を有し、スクリューを収容するハウジングが駆動部の上側に垂直に固定され、投入口に挿入された食材を圧着及び粉砕して搾汁しながら滓を排出させる。【選択図】図２
2008000593.tif 000002
【特許請求の範囲】
【請求項１】
上部一側に投入口が貫通形成され、内部中央に回転軸孔が形成される蓋と、
前記蓋の下部に設けられ、底部には案内段が形成され、外部下端部には滓排出口と汁排出口とが離隔して形成され、中央下端部に貫通孔を持つ防水円筒が形成され、前記防水円筒の下部縁に圧力排出路が形成されるハウジングと、
上部には前記回転軸孔に回転可能に挿入される上部回転軸が形成され、外面にはスクリュー螺旋が複数形成され、下端には上記圧力排出路に挿入されて回転する複数のスクリューギヤが形成された内部リングが下方に突出形成され、前記内部リング内側に前記防水円筒が挿入される下部空間が設けられ、下部中心には角形軸孔が形成された下部回転軸を備えたスクリューと、
外壁は、前記汁排出口へ汁を排出させるべく、網構造からなり、内部面には垂直方向に複数の壁面刃が備えられ、前記案内段に挿入されるように形成された網ドラム、
前記ハウジングと前記網ドラムとの間に装着されて回転しながら、前記網ドラムと前記ハウジングとを連続的に掃き出すブラシ付のブラシホルダーを備えた回転ブラシと、
前記防水円筒の貫通孔を介して前記角形軸孔に挿入される角形軸が備えられ、前記スクリューを低速に回転させる駆動部とを含めて、
前記スクリューを収容するハウジングが前記駆動部の上側に垂直に固定され、投入口に挿入された材料を圧着及び粉砕すると共に搾汁しながら滓を排出することを特徴とする搾汁ジューサー。
【請求項２】
前記ハウジングの圧力排出路は前記汁排出口に連通されるように形成されたことを特徴とする請求項１に記載の搾汁ジューサー。
【請求項３】
前記スクリューの下部螺旋末端に前記スクリューの下端縁を内側に切削して形成される排出段と、
前記網ドラムの下部末端に前記内部リングを収容する内部リング挿入孔が形成されている底部リングと、
前記底部リングの上部面にスクリューの回転方向にその深さがますます深まる円弧状の排出傾斜面と、
前記排出傾斜面の末端につながり、搾汁を済ませたあとに残る滓を網ドラム外部に排出する網ドラム排出孔と、
前記ハウジングの底部一側には前記網ドラム排出孔と前記滓排出口とを連通するハウジング排出孔とを含めて、
前記排出段が前記排出傾斜面に沿って回転しながら、前記網ドラム排出孔に滓を押し付けて、前記ハウジング排出孔を介して前記滓排出口に排出させることを特徴とする請求項１に記載の搾汁ジューサー。
【請求項４】
前記底部リングの内側縁に円形突起と該円形突起の外側に円形溝とをさらに備え、前記内部リングの外郭に下方へ突き出される外部リングと、前記内部リングと外部リングとの間の円形突起挿入孔をさらに形成し、
前記排出段により案内される滓との接触面積を増やすために前記外部リングは前記円形溝に挿入されて回転し、前記圧力排出路への滓流出を最小化させるべく、前記円形突起は前記円形突起挿入孔に挿入されるようになっていることを特徴とする請求項３に記載の搾汁ジューサー。
【請求項５】
前記網ドラムの外壁は、その上部と下部にそれぞれ多数の網目を持っている濾し網と圧縮網とを備えており、前記濾し網と圧縮網との間には複数の粉砕刃が上下方向に設けられた密閉構造の内側面を形成し、前記濾し網と圧縮網とを介して前記汁排出口に搾汁を排出させることを特徴とする請求項１に記載の搾汁ジューサー。
【請求項６】
前記蓋の下端縁に複数の結着段を設け、前記ハウジングの上端外周縁に多数の結着突起を形成し、前記駆動部に結着具を形成し、前記結着段と前記結着突起との係合により、前記蓋と結着されたハウジングが、前記結着具により駆動部と着脱可能に組み合わせられることを特徴とする請求項１に記載の搾汁ジューサー。
【請求項７】
前記回転ブラシのブラシは、前記ブラシホルダーの内面で前記網ドラムの外壁を継続して掻き出す網ブラシと、前記ブラシホルダーの外面で前記ハウジングの内壁を継続して掃き出すハウジングブラシとからなることを特徴とする請求項１に記載の搾汁ジューサー。
【請求項８】
前記回転ブラシを回転させるために前記ブラシホルダー下部にブラシギヤを取り付け、前記ブラシギヤと噛み合うように中間ギヤを前記ハウジングの下部面に回転可能に装着し、前記中間ギヤが前記スクリューギヤに噛み合うことによって回転しながら前記ブラシギヤを回転させるようになっていることを特徴とする請求項１に記載の搾汁ジューサー。
【請求項９】
前記蓋の投入口下端面にスクリュー回転方向に傾斜面を設けることを特徴とする請求項１に記載の搾汁ジューサー。
【請求項１０】
前記ハウジング排出孔の底面一側にはハウジング底面に形成の挿入溝に挿入されることで密閉され、他側には前記滓排出口と連通するハウジング排出孔の出口に密着されるように取り付けられる弾性力を持つパッキングをさらに含めることを特徴とする請求項３に記載の搾汁ジューサー。
【請求項１１】
前記蓋は、前記ハウジングの滓排出口と汁排出口とが設けられている前方に対して後方に位置づけられ、前記蓋の結着段が形成されている外周面の外側に形成される取付突起をさらに含めることを特徴とする請求項１又は１０に記載の搾汁ジューサー。
【請求項１２】
前記駆動部は、
内部にモータ及び制御装置が装着されるベースフレームと、前記ベースフレームの上面に形成のハウジング結着面と、前記結着面の中心に突出形成される前記モータの角形軸と、前記結着面の外周縁に形成され、前記ハウジングを結着させるための複数の結着フックと、前記ベースフレームのハウジング結着面一側に前記ハウジングの側面に相応する装着面を持ちながら、ベースフレームに一体に延長形成され、ハウジングを支持する支持フレームと、前記支持フレームの上面に形成の前記蓋の取付突起が挿着される取付溝と、前記支持フレームのハウジング装着面の背面上端から前記ベースフレームの下端まで延長形成される把手部とからなることを特徴とする請求項１１に記載の搾汁ジューサー。
【発明の詳細な説明】
【技術分野】
【０００１】
本発明は、野菜や果物などから青汁や生ジュースを作ったり、豆で豆乳を作ることが可能な搾汁ジューサーに関するものであって、より詳しくは、野菜や果物の種類に拘わらず優れた搾汁機能を発揮しながら、超低速回転方式により青汁や生ジュースの新鮮度を最大に維持し、且つ、機器の大きさや騒音を大幅に削減し、組立、解体、洗浄を容易にした搾汁ジューサーに関する。
【背景技術】
【０００２】
近年、健康な生活を送るべく、家庭で搾り立ての生ジュースや青汁を飲む人が多くなってきた。このため、家庭で簡単に野菜や果物などのような食材からジュースを得ることができる装置の開発が要望されている。
【０００３】
従来のジューサーは、食材を投入口に投入した上でスイッチを入れ、高速に破砕して遠心分離方式によりジュースを作るものの、高速破砕する過程で果物固有の味と栄養素が破壊されたり、また幹や葉からなる野菜類より青汁を得ることが難しかった。しかも、粘度の高いキーウィやイチゴなどのような果物からジュースを作りにくいばかりでなく、豆から豆乳をつくることも全く不可能であった。
【０００４】
さらに、生ジュースを繰り返して作ろうとすれば、随時に機器を解体し、網目に詰まっている残滓を取り除くための洗浄を行わなければいけないという煩わしさがあった。
【０００５】
下記記載の特許文献１は、本出願人により出願し、登録を受けたものであって、図１は、従来技術による搾汁機の構造を示した断面図である。図１に示されたように、従来技術による搾汁機１０は、長く形成されたスクリュー２０が搾汁網、ドラムキャップと共にドラムに水平に組み付けられ、駆動部の側面に結着されるようになっているため、全長が長くなる。そして、投入口３０に材料を投入すると水平方向に緩やかに移送されながら、搾汁を行うようになっている。
【０００６】
したがって、搾汁機１０の使用時や保管時に広い空間を必要とし、しかも食材が水平に移動しながら搾られるため、搾汁速度が遅く、粘度の高いどろどろの液汁は、よく流出できず、ドラムに溜まってしまう不都合があった。そして、スクリュー２０の一側には回転軸がないから、回転軸のない一側スクリュー２０は、回転時に揺れることから、搾汁網内壁の壁面刃に衝突してしまい、騒音と磨耗を招く問題点があった。
【０００７】
さらに、汁排出口４０が低く形成されているため、平らな汁受け専用コップだけが使用され、細長いジュースコップは使用不可能であった。
【０００８】
【特許文献１】韓国実用新案登録第１９０６７６号(発明の名称、搾汁兼用の粉砕機)
【発明の開示】
【発明が解決しようとする課題】
【０００９】
本発明は、前述した問題点を解決すべく鋭意研究に努めた結果、豆や果物の味を損なわないようにし、且つ、野菜や果物の種類に拘わらず、例えばどろどろの豆乳や果物ジュースをも排出口によく流出できるようにすることをその目的とする。
【００１０】
また、食材の移動を上下方向に成すことによって、搾汁を迅速に行うことが可能となり、そのことからハウジング内部に溜まることなしに下方によく流出させることが可能な搾汁ジューサーを提供することをその目的とする。
【００１１】
また、作動時の揺れや衝突をなくすことで騒音発生を省き、磨耗を防止し得るように構成された搾汁ジューサーを提供することを目的とする。
【００１２】
さらに、材料を押圧することのなしに、食材そのものが進んで流入するようになり、特に機器を後に引き続いて利用する場合にも、機器を解体して洗浄する必要がないから、連続的に使用することが可能となる。
【課題を解決するための手段】
【００１３】
前述した本発明の目的は、上部一側に投入口が貫通形成され、内部中央に回転軸孔が形成される蓋と、前記蓋の下部に設けられ、底部には案内段が形成され、外部下端部には滓排出口と汁排出口とが離隔して形成され、中央下端部に貫通孔のある防水円筒が形成され、前記防水円筒の下部縁に圧力排出路が形成されるハウジングと、上部には前記回転軸孔に回転可能に挿入される上部回転軸が形成され、外面にはスクリュー螺旋が複数備えられ、下端には上記圧力排出路に挿入されて回転する複数のスクリューギヤが形成された内部リングが下方に突き出されて形成され、前記内部リング内側に前記防水円筒が挿入されるための下部空間が備えられ、下部中心には角形軸孔が形成された下部回転軸を備えたスクリューと、外壁は、前記汁排出口へ汁を排出させるべく、網構造からなり、内面には垂直方向に複数の壁面刃が備えられ、前記案内段に挿入されるように形成された網ドラムと 、前記ハウジングと前記網ドラムとの間に装着されて回転しながら、前記網ドラムと前記ハウジングとを連続的に掃き出すブラシ付きのブラシホルダーを備えた回転ブラシと、前記防水円筒の貫通孔を介して前記角形軸孔に挿入される角形軸が備えられ、前記スクリューを低速に回転させる駆動部とを含めて、前記スクリューを収容するハウジングが前記駆動部の上側に垂直に固定され、投入口に挿入された食材を圧着及び粉砕して搾汁しながら滓を排出させることを特徴とする搾汁ジューサーにより達成される。
【００１４】
前記ハウジングの圧力排出路は、前記汁排出口に連通するように形成されていることを特徴とする。
【００１５】
前記滓排出手段は、前記スクリューの下部螺旋末端に前記スクリューの下端縁を内方に切削することで形成される排出段と、前記網ドラムの下部末端に前記内部リングを収容する内部リング挿入孔が形成されている底部リングと、前記底部リングの上部面にスクリューの回転方向にその深さがますます深まる  円弧状の排出傾斜面と、前記排出傾斜面の末端につながり、搾汁を済ませた後に残る滓を網ドラムの外部へ排出する網ドラム排出孔と、前記ハウジングの底部一側には前記網ドラム排出孔と前記滓排出口とを連通するハウジング排出孔とを含めて、前記排出段が前記排出傾斜面に沿って回転しながら、前記網ドラム排出孔へ滓を押出し、前記ハウジング排出孔を介して前記滓排出口に排出させることを特徴とする。
【００１６】
前記底部リングの内側縁に円形突起と、該円形突起の外側に円形溝とをさらに備え、前記内部リングの外郭に下方へ突き出される外部リングと、前記内部リングと外部リングとの間に円形突起挿入孔をさらに形成し、前記排出段によりガイドされる滓との接触面積を増やすために前記外部リングは前記円形溝に挿入されて回転し、前記圧力排出路への滓流出を最小化させるべく、前記円形突起は前記円形突起挿入孔に挿入できるようにすることを特徴とする。
【００１７】
前記網ドラムの外壁は、その上部と下部にそれぞれ複数の網目を持ってい濾し網と圧縮網が形成され、前記濾し網と圧縮網との間には複数の粉砕刃が上下方向に設けられている密閉構造の内側面を形成し、前記濾し網と圧縮網とを介して前記汁排出口へ搾汁を排出させることを特徴とする。
【００１８】
前記蓋の下端縁に複数の結着段を備え、前記ハウジングの上端外周縁に複数の結着突起を形成し、前記駆動部に結着具を形成し、前記結着段と前記結着突起との係止により前記蓋と結着されたハウジングが、前記結着具により駆動部と着脱可能に組み合わせられることを特徴とする。
【００１９】
前記回転ブラシのブラシは、前記ブラシホルダーの内面に取り付けられ、前記網ドラムの外壁を継続して掻き出す網ブラシと、前記ブラシホルダーの外面に取り付けられ、前記ハウジングの内壁を継続して掃き出すハウジングブラシとからなることを特徴とする。
【００２０】
前記回転ブラシを回転させるために前記ブラシホルダー下部にブラシギヤを装着し、前記ブラシギヤと噛み合うように中間ギヤを前記ハウジングの下部面に回転可能に装着し、前記中間ギヤが前記スクリューギヤと噛み合うことによって回転すると共に前記ブラシギヤを回転させるようになっていることを特徴とする。
【００２１】
前記蓋の投入口下端面に、スクリュー回転方向に傾斜面を設けることを特徴とする。
【００２２】
前記ハウジング排出孔の底面一側は、ハウジング底面に形成の挿入溝に挿入されることで密閉され、他側は、前記滓排出口と連通するハウジング排出孔の出口に密着するようにパッキングをさらに含めることを特徴とする。
【００２３】
前記パッキングは、ゴム材からなり、所定圧力で前記ハウジング排出孔の出口とパッキングとの間に隙間が発生し、滓排出孔を介して滓が排出できるように弾性力を持つものから構成することを特徴とする。
【００２４】
前記蓋は、前記ハウジングの滓排出口と汁排出口とが設けられている前方に対して後方に位置づけられ、前記蓋の結着段が備えられる外周面の外側に取付突起をさらに形成して含める。
【００２５】
前記駆動部は、内部にモータ及び制御装置が装着されるベースフレームと、前記ベースフレームの上面に形成のハウジング結着面と、前記結着面の中心に突出形成される前記モータの角形軸と、前記結着面の外周縁に形成の前記ハウジングを結着させるための複数の結着フックと、前記ベースフレームのハウジング結着面一側に前記ハウジングの側面に相応する装着面を持ちながら、一体に延長形成されてハウジングを支持する支持フレームと、前記支持フレームの上面に形成のハウジングの取付突起が挿着される取付溝と、前記支持フレームのハウジング装着面の背面上端から前記ベースフレームの下端まで延長形成される把手部とからなる。
【００２６】
前記取付溝には、マイクロスイッチが装着され得る。
【００２７】
前記把手部の上部には作動スイッチが設けられ、前記蓋の取付突起が取付溝に挿着される場合には、マイクロスイッチがオンとなり作動スイッチを作動させることができ、且つ、取付突起が離脱される場合にはマイクロスイッチがオフとなり、作動スイッチを作動し得ないようにする。
【発明の効果】
【００２８】
以上で述べたように、本発明は、次のような効果を奏する。
＠第１に、高速回転刃の破砕方式の代わりに超低速スクリュー圧出方式を採択することによって、青汁や果物ジュース、豆乳などの各種栄養素と固有の味を最大限に保ちながら、野菜や果物の種類に拘わらず、幅広く搾汁を可能にした効果を奏する。
【００２９】
第２に、搾汁ジューサーのハウジングが駆動部上側に垂直に組み付けられるため、食材の移動を上下方向に行わせることによって、重力とスクリューの回転により自然に下方に進み、搾汁を迅速に行うことによって、ハウジング内部に溜まることなく、下方へよく流出できることから、何種類の野菜や果物でも迅速に搾汁することが可能である。
【００３０】
第３に、スクリューを両方向に固定したうえで回転させるため、スクリューの振動が防止でき、且つ、スクリュー作動時の揺れや網ドラム内壁への衝突をなくすことによって、騒音発生を削減すると共に磨耗が防止できる。
【００３１】
第４に、スクリューの内部リングの下部面に羽根状のスクリューギヤを装着することによって、粘度の高い果物ジュースを作ったり、豆乳の製造時に極めて優れた性能を発揮することができる。
【００３２】
第５に、ハウジングに圧力排出路を構成し、該圧力排出路は、汁排出口と連通するようになすことによって、汁(水分)が駆動部に流入されることを防止しながらも、搾汁し得るという効果を奏する。
【００３３】
第６に、スクリューに外部リングをさらに形成することによって、滓の排出をより円滑に行い、且つ、網ドラムに円形突起を形成することによって、滓が圧力排出路に流入されることを最小化とする効果がある。
【００３４】
第７に、ジューサーの蓋の下端面一側に傾斜面を形成することによって、食材を押圧しなくても、食材そのものが自然に流入できるようにする効果が期待される。
【００３５】
第８に、網目を継続して洗浄し得るための回転ブラシを網ドラムとハウジングとの間に装着させて回転させることによって、連続的に使用する場合にも機器を解体洗浄する必要がなく、継続して使用し得るという効果がある。
【００３６】
第９に、回転ブラシの下部にブラシギヤを装着し、駆動部により回転されるスクリューギヤに連結される中間ギヤを介して回転させることによって、別度の動力を必要としない効果がある。
【００３７】
第１０に、ハウジング排出孔の出口にパッキングを挿入することによって、パッキングに所定圧力が作用する場合にのみ、パッキングと出口との間に隙間が生じるから、滓排出口に排出され得る汁を最大限に削減することができる。
【００３８】
最後に、駆動部にマイクロスイッチを装着することによって、全体構成部品が組み合わせられたハウジングが駆動部に装着される場合にのみ、作動スイッチがオンとなり作動するから、安全性を増大させると共に省エネルギーを図ることができる。
【発明を実施するための最良の形態】
【００３９】
以下では、添付図面に基づいて本発明による搾汁ジューサーの構成及び作用を説明する。
【００４０】
図２は、本発明の実施例による搾汁ジューサーの構成を示した分解斜視図であり、図３Ａは、搾汁ジューサーの滓排出口の構成を断面図で示す図面であり、図３Ｂは、搾汁ジューサーの汁排出口の構成を断面図で示す図面である。また、図４は、図３Ｂの搾汁ジューサーのＡ−Ａ´線におけるハウジングの構成を平面図で示した図面である。さらに、図５は、本発明の他の実施例による搾汁ジューサーの斜視図であり、図６は、本発明の他の実施例による搾汁ジューサーの蓋が組み合わせられたハウジングが駆動部に結合されていることを示す斜視図であり、図７は、本発明の他の実施例による搾汁ジューサーの駆動部を示す斜視図である。
【００４１】
以下では、図２ないし図４を参照とし、本発明の一実施例を説明する。本発明の一実施例による搾汁ジューサーは、蓋１００、スクリュー２００、網ドラム３００、回転ブラシ４００、ハウジング５００、駆動部６００からなる。
【００４２】
蓋１００は、下部の広い形状から製作され、上部面には食材を投入し得る投入口１１０が底面まで貫通形成されている。下部面の中心にはスクリュー２００の回転軸が挿入されるための回転軸孔１２０が形成される。回転軸孔１２０は、蓋１００の中心部に形成されることが好ましく、投入口１１０は、回転軸孔１２０が位置した中心部から一定距離偏芯された位置に形成されるようにし、スクリュー回転と食材の投入とを円滑に行えるようにする。
【００４３】
また、蓋１００の下端縁には複数の結着段１３０が突き出されて形成され、且つ、食材を押圧しなくても自動に投入できるようにすべく、蓋１００の投入口１１０の下端面にスクリュー２００の回転方向に傾斜面１４０が形成される。
【００４４】
スクリュー２００の上部中心には上部回転軸２１０が形成され、該上部回転軸２１０は、蓋１００の回転軸孔１２０に挿入されかつ、回転運動を行う。スクリュー２００の外側面には網ドラム３００の内部に接する複数のスクリュー螺旋２２０が形成される。
【００４５】
スクリュー２００の下端には複数のスクリューギヤ２８０が形成された内部リング２５０が下方へ突き出されて形成され、下部回転軸２４０と内部リング２５０との間には下部空間２７０が形成され、内部リング２５０の内側へスクリュー２００の下部中心には角形軸孔２３０が備えられた下部回転軸２４０がさらに備えられる。
【００４６】
スクリューギヤは、羽根状からなることが好ましい。
【００４７】
スクリュー２００の下部螺旋末端にスクリュー２００の下端縁を内方に切削することで排出段２２５が形成され、網ドラム３００の底面まで移送された滓を網ドラム３００の外部に排出させる役割を奏する。
【００４８】
望ましくは、前記内部リング２５０の外郭には下方に突き出される外部リング２６０をさらに形成する。前記外部リング２６０は、スクリュー２００の排出段２２５に押し付けられて網ドラム３００の外部へ排出される滓との接触面積を高めるためのものである。また、内部リング２５０と外部リング２６０との間には円形突起挿入孔２９０が構成される。
【００４９】
網ドラム３００の内壁には一定間隔をおいて鉛直方向の壁面刃３１０が突出形成されるが、壁面刃３１０は、長いものと短いものとから分けられて構成されることが好ましい。また、食材がスクリュー２００により下方へ移送されることによって、細かく破砕できるように突出高さが下方に行くにつれ低くなるように形成されることが好ましい。
【００５０】
網ドラム３００の外壁は、粉砕された食材から搾られた汁が通過し得るように網構造からなり、下方に下降すればするほど材料のサイズが細かくなることから、上方から下方に進むにつれ網目の粗さがますます細かくなるように構成することが望ましい。また、網ドラム３００の中間高さでは食材が微細に破砕されるため、網ドラム３００の中間部は濾網構造ではない密閉構造から構成することによって、粉砕過程で滓が網目を通過しながら網目に詰まったり、汁内部に混在することを防止し得ることから、口当たりのよいジュースが得られる。
【００５１】
密閉構造からなる網ドラム３００の中間部内側面には壁面刃３１０の他にも複数の粉砕刃３９０が突出形成される。前記網ドラム３００の外壁の網構造は、密閉構造を境に、上部には濾し網３２０が、下部には微細孔の圧縮網３３０が、それぞれ形成される。
【００５２】
網ドラム３００の下部末端は、スクリュー２００の内部リング２５０を覆うように内部リング挿入孔３８０が形成された底部リング３４０が構成されて網ドラム３００の底面をなし、底部リング３４０の上部面にスクリュー２００の回転方向にその深さがますます深まる円弧状の排出傾斜面３５０が形成される。また、排出傾斜面３５０の末端につながり、搾り済ませた後に残る滓を網ドラム３００の外部に排出するための網ドラム排出孔３６０が形成される。  
【００５３】
よって、前記網ドラム３００の壁面刃３１０に沿って中間部に移送された食材は、複数の粉砕刃３９０が位置する中間部でさらに細かく粉砕される。豆乳の場合、一部の豆乳は上部の濾し網３２０を介して網ドラム３００の外部に排出され、次いで残りの豆乳は、さらに微粉砕され、圧縮網３３０を介して網ドラム３００の外部に排出される。そして、残滓は、底部の排出傾斜面３５０に沿って網ドラム排出孔３６０に排出される。
【００５４】
望ましくは、前記網ドラム３００の下部縁には環状の円形突起３７０をさらに備え、円形突起３７０の周りに円形溝３７５をさらに形成する。円形溝３７５には外部に排出される滓との接触面積を増やすために前記外部リング２６０が挿入されて回転し、円形突起３７０は、前記円形突起挿入孔２９０に挿入されることによって、滓が内部の高い圧力により圧力排出路５８０の方向に流出されることを防止することになる。
【００５５】
ハウジング５００は、スクリュー２００と網ドラム３００とを収容するためのものであって、上端外周縁に複数の結着突起５１０が形成され、中央下端部に貫通孔５２０のある防水円筒５３０が上向きに形成され、前記スクリュー２００の下部空間２７０に挿入される。そして、底面一側には網ドラム排出孔３６０と連通するハウジング排出孔５４０が形成される。次いで、外面下側には汁排出口５６０と滓排出口５７０がそれぞれ備えられ、下端部の防水円筒５３０の周囲底面には前記スクリュー２００のスクリューギヤ２８０が挿入されて回転するように圧力排出路５８０を形成する。
【００５６】
ハウジング５００の下部面には固定溝５１５が形成され、且つ、圧力排出路５８０の周りには網ドラム３００を固定させるべく、前記網ドラム３００の底部リング３４０が挿入されて固定できるように案内段５５０が円形に突出形成される。ハウジング排出孔５４０の下端にはゴムなどからなるパッキング５７５を装着する。パッキング５７５は、一側がハウジングの底面に形成の挿入溝５７６に挿入され、他側は、ハウジング排出孔５４０の出口に密着するように設けられる。
【００５７】
圧力排出路５８０は汁排出口５６０につながるように構成することが好ましい。
【００５８】
回転ブラシ４００は、ハウジング５００と網ドラム３００との間に装着されて回転すると共に、網ドラム３００とハウジング５００とを連続的に掃除するためのブラシ付のブラシホルダー４３０をさらに備える。
【００５９】
ブラシは、前記ブラシホルダー４３０の内面に取り付けられ、前記網ドラム３００の外壁を継続して掃き出す網ブラシ４１０と、前記ブラシホルダー４３０の外面に取り付けられ、前記ハウジング５００の内壁を継続して掃き出すハウジングブラシ４２０とからなる。
【００６０】
網ブラシ４１０は、網ドラム３００の濾し網３２０を掻き出す濾し網ブラシ４５０と、網ドラム３００の圧縮網３３０を掃き出す圧縮網ブラシ４６０とからなり、密閉構造の中間面を境にしてそれぞれ取り付けられるようになっている。また、網ブラシ４１０とハウジングブラシ４２０とは一体型で構成することも可能である。
【００６１】
回転ブラシ４００には網ドラム３００を掃き出すようにブラシホルダー４３０が回転するようになっている。
【００６２】
望ましくは、前記ブラシホルダー４３０の下部にブラシギヤ４４０を取り付け、前記ブラシギヤ４４０に噛みあうように中間ギヤ５９０を前記ハウジング５００の下部面に回転可能に装着し、前記中間ギヤ５９０が前記スクリューギヤ２８０と噛み合うことによって回転すると共に前記ブラシギヤをも回転させるようになっている。
【００６３】
中間ギヤ５９０は、スクリューギヤ２８０が回転する圧力排出路５８０で噛み合うようにハウジング５００の下部面に中間ギヤ回転軸５９５を備え、前記中間ギヤ回転軸５９５に挿入されて回転するようになっている。
【００６４】
駆動部６００は、貫通孔５２０を通過したスクリュー２００の角形軸孔２３０に挿入される角形軸６１０が上方に突き出され、スクリュー２００に組み合わせられることによってスクリュー２００を低速に回転することになり、ハウジング５００を固定すべく、ハウジング５００の固定溝５１５に挿入される固定突起６３０を複数備える。
【００６５】
角形軸６１０は、モータと減速機(図示せず)とに連結されて回転運動を行う。
【００６６】
前記蓋１００の下端縁に複数の結着段１３０が突出形成され、且つ、前記ハウジング５００の上端外周縁に複数の結着突起５１０が形成され、前記結着突起５１０が前記結着段１３０に係合することによって、前記蓋１００が前記ハウジング５００に着脱可能に組み合わせられる。
【００６７】
駆動部６００の上面には、前記蓋１００と結着されたハウジング５００との結合を通じて搾汁ジューサーの振動を防止するための結着具６２０を一対から構成することが望ましい。
【００６８】
本発明で用いられる減速機は、モータの回転速度を緩くさせる役割を奏し、従来技術に比してより低い回転速度で回転し得るようになっている。
【００６９】
前記のように構成された本発明の実施例による搾汁ジューサーの作動を説明すると、以下の通りである。
【００７０】
蓋１００の投入口１１０に材料が投入されると、スクリュー２００の回転により材料が蓋１００の下面に形成の傾斜面に沿って網ドラム３００内部に流入される。そして、網ドラム３００内部に流入された材料は、スクリュー２００の回転と壁面刃３１０により下方に強制移送されるにつれ細かく粉砕されると共に押し付けられて圧縮されることになる。この過程で生じた汁は、網ドラム３００の外壁の網目を介して網ドラム３００の外部に流出され、汁排出口５６０を介して排出される。
【００７１】
スクリュー２００の回転により、網ドラム３００の底部リング３４０にまで到達した滓は、スクリュー２００の下端の排出段２２５に押し付けられることで排出傾斜面３５０に沿って網ドラム排出孔３６０に案内される。これによって、ハウジング排出孔５４０の出口を防いでいるパッキング５７５を所定圧力で押圧することになり、排出孔５４０の出口とパッキングとの間に隙間が発生する。この隙間を介して滓が排出され、ひいては排出された滓は排出口５７０を介して搾汁ジューサーの外方に排出される。
【００７２】
網ドラム３００の底部リング３４０で粉砕済みの食材が最終的に圧縮されて脱水されるが、この過程で大部分の水分(汁)は網ドラム３００の外壁の網目を介して外部に流出され、次いで汁排出口５６０に排出されるものの、そのうち一部はスクリュー２００の内部リング２５０と網ドラム３００の内部リング挿入孔３８０との間の隙間に押し込まれ、圧力排出路５８０に流入される。しかし、圧力排出路５８０が汁排出口５６０と連通していることから、一部の水分もやはり最終的には汁排出口５６０を介して外方に排出されることになる。
【００７３】
仮に、圧力排出路５８０が汁排出口５６０に連通するように形成されていなければ、スクリュー２００の内部リング２５０と内部リング挿入孔３８０との間の隙間に圧力により押し込まれた水分(汁)は防水円筒５３０を超えて、貫通孔５２０と角形軸６１０との間の隙間を介してハウジング５００の外方に流出できるので、駆動部６００のモータや減速機を汚染させるばかりでなく、外部表面にも汁が漏出される虞がある。
【００７４】
また、粘度の高い汁はどろどろとすることから、自然に下方に推進できない不都合があるが、こうした場合でも、内部リング２５０のスクリューギヤ２８０により強制に汁排出口５６０に案内される。
【００７５】
スクリューギヤ２８０を羽根状にした理由は、圧力排出路５８０に流出される高粘度のどろどろの汁を効率よく汁排出口５６０に強制排出せしめるためである。
【００７６】
また、スクリューギヤ２８０は、駆動部６００の動力を伝えて回転ブラシ４００を回転させる役割を奏する。換言すれば、スクリューギヤ２８０が中間ギヤ５９０によりブラシギヤ４４０に噛み合っているから、スクリュー２００が駆動部６００により回転すると、ブラシホルダー４３０が回転し、よってブラシホルダー４３０に装着の網ブラシ４１０とハウジングブラシ４２０とが網ドラム３００の外壁とハウジング５００の内壁を連続的に掃除することによって、粘度の高い汁や豆乳を効率よく流し得るばかりでなく、網ドラム３００の外壁を継続して掃き出してくれるから、網ドラム３００を使用する都度分解して掃除しなければいけなかった従来ジューサーの手間を省くことができる。
【００７７】
網ドラム３００の中間部内側面は密閉構造からなり、壁面刃３１０の他にも複数の粉砕刃３９０が突出形成され、網ドラム３００の上部には濾し網３２０、下部には微細孔の圧縮網３３０がそれぞれ形成される。
【００７８】
したがって、食材が前記網ドラム３００の壁面刃３１０に沿って強制に移送される過程で発生した汁は濾し網３２０を介して外部に流出でき、且つ、複数の粉砕刃３９０を持つ密閉構造からなる中間部の内側面で微細に粉砕される過程から生じた汁は、圧縮網３３０を介して汁排出口５６０に排出される。
【００７９】
そして、滓は、底部の排出傾斜面３５０に沿って網ドラム排出孔３６０に排出される。
【００８０】
この際、外部リング２６０は、スクリュー２００の排出段２２５に押し付けられることで排出傾斜面３５０に沿って移動され、網ドラム排出孔３６０に案内される滓との接触面積を高めて滓を円滑に移送させかつ排出させる作用を奏する。
【００８１】
また、円形突起３７０は、スクリュー下部の円形突起挿入孔２９０に隙間なく挿入されることによって、底部リング３４０で滓に圧縮が加えられたとしても滓が圧力排出路５８０に流入されることを最大限に抑制することになる。
【００８２】
そして、ハウジング５００の内部でスクリュー２００と網ドラム３００とが垂直に組み立てられて作動するから、水平に組み立てられて作動する従来技術に比して、下方に移送される速度が速く、且つ、ハウジング５００の内部の汁も溜まることなく下方に容易に流出されることになる。
【００８３】
本発明の他の実施例を図５ないし図７を参照として説明する。本発明の他の実施例による搾汁ジューサーは、蓋１００、スクリュー２００、網ドラム３００、回転ブラシ４００、ハウジング５００、駆動部６００からなる。スクリュー２００、網ドラム３００、回転ブラシ４００及びハウジング５００は、一実施例で詳述したものと同様であるから、ここではその詳しい説明は略する。また、作動原理も同じであることから、該説明をも略する。
【００８４】
本発明の他の実施例では、蓋１００の外周面１３５には取付突起１５０が設けられ、取付突起１５０の中心には突出部が備えられている。取付突起１５０の位置は、ハウジング５００の汁排出口５６０と滓排出口５７０がある方向を前方と決めると、後方に存在することになる。スクリュー２００、網ドラム３００、回転ブラシ４００が取り付けられたハウジング５００に蓋１００が組み合わせられると、全体が組み合わせられたハウジング５００を駆動部６００に装着することになる。
【００８５】
駆動部６００は、その内部にモータ及び制御装置(図示せず)が取り付けられるベースフレーム６４０と、前記ベースフレーム６４０の上面に形成のハウジング結着面６５０と、前記結着面６５０の中心に突出形成される前記モータの角形軸６１０と、前記結着面６５０の外周縁に形成される前記ハウジング５００を結着させるための複数の結着フック６２０ａと、前記ベースフレーム６４０のハウジング結着面６５０の一側に前記ハウジング５００の側面に相応する装着面を持ちながら前記ベースフレームに一体に延長形成されることでハウジング５００を支える支持フレーム６６０と、前記支持フレーム６６０の上面に形成される蓋１００の取付突起１５０が挿着される取付溝６６５と、前記支持フレーム６６０のハウジング５００の装着面の背面上端から前記ベースフレーム６４０の下端まで延長形成される把手部６７０とからなる。
【００８６】
ハウジング結着面６５０には、結着フック６２０ａが形成され、結着フック６２０ａにハウジングの底面に形成の結着溝(図示せず)が挿入され、結着溝に挿入した後、ハウジング５００を少し回転させ、ハウジング５００を結着面６５０に固定することになる。
【００８７】
取付溝６６５の中心部にはマイクロスイッチ６６６が設けられ、取付溝６６５に蓋１００の外側面１３５に形成の取付突起１５０を装着すると、取付突起の突出部がマイクロスイッチを押圧することになり、マイクロスイッチ６６６がオンとなり、作動スイッチ６７５を作動させ得るが、取付溝６６５に取付突起１５０が挿着されなかった場合には、マイクロスイッチ５５５がオフとなることから、作動スイッチ６７５により搾汁ジューサーを作動させることができない。
【００８８】
以上、本発明の実施例について説明したが、本発明の範囲から逸脱しない範囲ないにて様々な変形が可能であることは、当該分野における通常の知識を有する者にとって自明である。
【図面の簡単な説明】
【００８９】
【図１】従来技術による搾汁機の構成を示した断面図である。
【図２】本発明の一実施例による搾汁ジューサーの構成を示した分解斜視図である。
【図３Ａ】本発明の一実施例による搾汁ジューサー滓排出口の構成を示す断面図である。
【図３Ｂ】本発明の一実施例による搾汁ジューサーの汁排出口の構成を示す断面図である
【図４】本発明の一実施例による搾汁ジューサーのハウジングを示す平面図である。
【図５】本発明の他の実施例による搾汁ジューサーの斜視図である。
【図６】本発明の他の実施例による搾汁ジューサーの蓋が組み合われたハウジングが駆動部に結合されていることを示す斜視図である。
【図７】本発明の他の実施例による搾汁ジューサーの駆動部を示す斜視図である。
【符号の説明】
【００９０】
１００    蓋
１１０    投入口
１２０    回転軸孔
１３０    結着段
１３５    結着段外周面
１４０    傾斜面
２００    スクリュー
２１０    上部回転軸
２２０    スクリュー螺線
２２５    排出段
２３０    角形軸孔
２４０    下部回転軸
２５０    内部リング
２６０    外部リング
２７０    下部空間
２８０    スクリューギヤ
２９０    円形突起挿入孔
３００    網ドラム
３１０    壁面刃
３２０    濾し網
３３０    圧縮網
３４０    底部リング
３５０    排出傾斜面
３６０    網ドラム排出孔
３７０    円形突起
３７５    円形溝
３８０    内部挿入孔
３９０    粉砕刃
４００    回転ブラシ
４１０    網ブラシ
４２０    ハウジングブラシ
４３０    ブラシホルダー
４４０    ブラシギヤ
４５０    濾し網ブラシ
４６０    圧縮網ブラシ
５００    ハウジング
５１０    結着突起
５２０    貫通孔
５３０    防水円筒
５４０    ハウジング排出孔
５５０    案内段
５６０    汁排出口
５７０    滓排出口
５７５    パッキング
５７６    パッキング挿入孔
５８０    圧力排出路
５９０    中間ギヤ
５９５    中間ギヤ回転軸
６００    駆動部
６１０    角形軸
６２０    結着具
６２０ａ  結着フック
６３０    固定突起
６４０    ベースフレーム
６５０    ハウジング結着面
６６０    支持フレーム
６６５    取付溝
６６６    マイクロスイッチ
６７０    把手部
６７５    作動スイッチ
【図１】
2008000593.tif 000003
【図２】
2008000593.tif 000004
【図３Ａ】
2008000593.tif 000005
【図３Ｂ】
2008000593.tif 000006
【図４】
2008000593.tif 000007
【図５】
2008000593.tif 000008
【図６】
2008000593.tif 000009
【図７】
2008000593.tif 000010